(57)【要約】【課題】自立分散型ネットワーク及び集中制御型ネットワークが混在している環境においてソフトハンドオーバ状態の移動局における上りリンク信号の送信電力を適切に制御する。【解決手段】本発明に係る送信電力制御方法は、第２無線基地局ｅＮＢ＃２が、セル＃２において移動局ＵＥから受信した第２上りリンク信号を第１無線基地局ｅＮＢ＃１に対して転送する工程と、第１無線基地局ｅＮＢ＃１が、セル＃１において移動局ＵＥから受信した第１上りリンク信号と第２無線基地局ｅＮＢ＃２から転送された第２上りリンク信号とを合成し、合成後の上りリンク信号の受信品質に基づいて、移動局ＵＥにおける上りリンク信号の送信電力を制御するための送信電力制御信号を生成して送信する工程とを有する。【選択図】図４
2010074740.tif 000002
【特許請求の範囲】
【請求項１】
第１無線基地局配下の第１セルと第２無線基地局配下の第２セルとの間で無線リンクを設定している移動局における上りリンク信号の送信電力を制御する送信電力制御方法であって、
前記第２無線基地局が、前記第２セルにおいて前記移動局から受信した第２上りリンク信号を前記第１無線基地局に対して転送する工程Ａと、
前記第１無線基地局が、前記第１セルにおいて前記移動局から受信した第１上りリンク信号と前記第２無線基地局から転送された前記第２上りリンク信号とを合成し、合成後の上りリンク信号の受信品質に基づいて、該移動局における上りリンク信号の送信電力を制御するための送信電力制御信号を生成して送信する工程Ｂと、
前記移動局が、受信した前記送信電力制御信号に基づいて、前記上りリンク信号の送信電力を制御する工程Ｃとを有することを特徴とする送信電力制御方法。
【請求項２】
前記工程Ａにおいて、前記第２無線基地局が、レイヤ１信号として、前記第２上りリンク信号を前記第２無線基地局に対して転送し、
前記工程Ｂにおいて、前記第１無線基地局が、最大比合成によって前記第１上りリンク信号と前記第２上りリンク信号とを合成することを特徴とする請求項１に記載の送信電力制御方法。
【請求項３】
前記工程Ａにおいて、前記第２無線基地局が、レイヤ２信号又はレイヤ３信号として、前記第２上りリンク信号を前記第２無線基地局に対して転送し、
前記工程Ｂにおいて、前記第１無線基地局が、選択合成によって前記第１上りリンク信号と前記第２上りリンク信号とを合成することを特徴とする請求項１に記載の送信電力制御方法。
【請求項４】
第１無線基地局配下の第１セルと第２無線基地局配下の第２セルとの間で無線リンクを設定している移動局における上りリンク信号の送信電力を制御するように構成されている移動通信システムであって、
前記第２無線基地局は、前記第２セルにおいて前記移動局から受信した第２上りリンク信号を前記第１無線基地局に対して転送するように構成されており、
前記第１無線基地局は、前記第１セルにおいて前記移動局から受信した第１上りリンク信号と前記第２無線基地局から転送された前記第２上りリンク信号とを合成し、合成後の上りリンク信号の受信品質に基づいて、該移動局における上りリンク信号の送信電力を制御するための送信電力制御信号を生成して送信するように構成されており、
前記移動局は、受信した前記送信電力制御信号に基づいて、前記上りリンク信号の送信電力を制御するように構成されていることを特徴とする移動通信システム。
【請求項５】
前記第２無線基地局は、レイヤ１信号として、前記第２上りリンク信号を前記第２無線基地局に対して転送するように構成されており、
前記第１無線基地局は、最大比合成によって前記第１上りリンク信号と前記第２上りリンク信号とを合成するように構成されていることを特徴とする請求項４に記載の移動通信システム。
【請求項６】
前記第２無線基地局は、レイヤ２信号又はレイヤ３信号として、前記第２上りリンク信号を前記第２無線基地局に対して転送するように構成されており、
前記第１無線基地局は、選択合成によって前記第１上りリンク信号と前記第２上りリンク信号とを合成するように構成されていることを特徴とする請求項４に記載の移動通信システム。
【請求項７】
第１無線基地局配下の第１セルと第２無線基地局配下の第２セルとの間で無線リンクを設定している移動局における上りリンク信号の送信電力を制御するように構成されている移動通信システムにおいて該第１無線基地局として機能する無線基地局であって、
前記第１セルにおいて前記移動局から受信した第１上りリンク信号と、前記第２無線基地局から転送された前記第２セルにおいて該移動局から受信した第２上りリンク信号とを合成するように構成されている合成部と、
合成後の上りリンク信号の受信品質に基づいて、前記移動局における上りリンク信号の送信電力を制御するための送信電力制御信号を生成して送信するように構成されている送信部とを具備することを特徴とする無線基地局。
【請求項８】
前記合成部は、前記第２無線基地局からレイヤ１信号として前記第２上りリンク信号を受信した場合には、最大比合成によって前記第１上りリンク信号と該第２上りリンク信号とを合成するように構成されていることを特徴とする請求項７に記載の無線基地局。
【請求項９】
前記合成部は、前記第２無線基地局からレイヤ２信号又はレイヤ３信号として前記第２上りリンク信号を受信した場合には、選択合成によって前記第１上りリンク信号と該第２上りリンク信号とを合成するように構成されていることを特徴とする請求項７に記載の無線基地局。
【請求項１０】
第１セルを管理する第１無線基地局と、第２セルを管理する第２無線基地局と、第３セルを管理する第３無線基地局と、第４セルを管理する第４無線基地局と、第５セルを管理する第５無線基地局とを具備する移動通信システムであって、
前記第１無線基地局及び前記第２無線基地局は、自立分散制御型ネットワークに接続されており、
前記第３無線基地局及び前記第４無線基地局は、前記第５無線基地局による集中制御型ネットワークに接続されており、
移動局が、前記第１無線基地局と前記第２無線基地局との間で無線リンクを設定している場合、該第１無線基地局は、前記第１セルにおいて該移動局から受信した第１上りリンク信号の受信品質に基づいて、該移動局における上りリンク信号の送信電力を制御するための送信電力制御信号を生成して送信するように構成されており、該第２無線基地局は、前記第２セルにおいて該移動局から受信した第２上りリンク信号の受信品質に基づいて、該移動局における上りリンク信号の送信電力を制御するための送信電力制御信号を生成して送信するように構成されており、
前記移動局が、前記第３無線基地局と前記第４無線基地局との間で無線リンクを設定している場合、該第３無線基地局及び該第４無線基地局は、それぞれ前記第３セル及び前記第４セルにおいて該移動局から受信した第３上りリンク信号及び第４上りリンク信号を前記第５無線基地局に対して転送するように構成されており、該第５無線基地局は、該第３上りリンク信号と該第４上りリンク信号とを合成し、合成後の上りリンク信号の受信品質に基づいて、該移動局における上りリンク信号の送信電力を制御するための送信電力制御信号を生成し、該第３無線基地局又は該第４無線基地局を介して送信するように構成されていることを特徴とする移動通信システム。
【請求項１１】
前記移動局が、前記第１無線基地局と前記第３無線基地局との間で無線リンクを設定している場合、該第１無線基地局は、前記第１上りリンク信号に基づいて、該移動局における上りリンク信号の送信電力を制御するための送信電力制御信号を生成して送信するように構成されており、該第３無線基地局は、前記第３上りリンク信号を前記第５無線基地局に対して転送するように構成されており、該第５無線基地局は、該第３上りリンク信号の受信品質に基づいて、該移動局における上りリンク信号の送信電力を制御するための送信電力制御信号を生成し、該第３無線基地局を介して送信するように構成されていることを特徴とする請求項１０に記載の移動通信システム。
【発明の詳細な説明】
【技術分野】
【０００１】
本発明は、送信電力制御方法、移動通信システム及び無線基地局に関する。
【背景技術】
【０００２】
近年、各無線基地局ｅＮＢが自立的に制御を行う自立分散型ネットワークと、特定の無線基地局ｅＮＢが各無線基地局ＲＲＥを制御する集中制御型ネットワークとが混在する移動通信システムについての検討が進められている。
【非特許文献１】３ＧＰＰ、ＲＥＶ-０８００２６、ＮＴＴドコモ、“Ｐｒｏｐｏｓａｌｓ  ｆｏｒ  ＬＴＥ-Ａｄｖａｎｃｅｄ  Ｔｅｃｈｎｏｌｏｇｉｅｓ”、２００８年４月
【発明の開示】
【発明が解決しようとする課題】
【０００３】
しかしながら、上述のような移動通信システムでは、自立分散型ネットワーク及び集中制御型ネットワークのそれぞれで、ソフトハンドオーバ状態の移動局における上りリンク信号の送信電力を、どのように制御するのが適切であるのかについて規定されていないという問題点があった。
【０００４】
そこで、本発明は、上述の課題に鑑みてなされたものであり、自立分散型ネットワーク及び集中制御型ネットワークが混在している環境においてソフトハンドオーバ状態の移動局における上りリンク信号の送信電力を適切に制御することができる送信電力制御方法、移動通信システム及び無線基地局を提供することを目的とする。
【課題を解決するための手段】
【０００５】
本発明の第１の特徴は、第１無線基地局配下の第１セルと第２無線基地局配下の第２セルとの間で無線リンクを設定している移動局における上りリンク信号の送信電力を制御する送信電力制御方法であって、前記第２無線基地局が、前記第２セルにおいて前記移動局から受信した第２上りリンク信号を前記第１無線基地局に対して転送する工程Ａと、前記第１無線基地局が、前記第１セルにおいて前記移動局から受信した第１上りリンク信号と前記第２無線基地局から転送された前記第２上りリンク信号とを合成し、合成後の上りリンク信号の受信品質に基づいて、該移動局における上りリンク信号の送信電力を制御するための送信電力制御信号を生成して送信する工程Ｂと、前記移動局が、受信した前記送信電力制御信号に基づいて、前記上りリンク信号の送信電力を制御する工程Ｃとを有することを要旨とする。
【０００６】
本発明の第１の特徴において、前記工程Ａにおいて、前記第２無線基地局が、レイヤ１信号として、前記第２上りリンク信号を前記第２無線基地局に対して転送し、前記工程Ｂにおいて、前記第１無線基地局が、最大比合成によって前記第１上りリンク信号と前記第２上りリンク信号とを合成してもよい。
【０００７】
本発明の第１の特徴において、前記工程Ａにおいて、前記第２無線基地局が、レイヤ２信号又はレイヤ３信号として、前記第２上りリンク信号を前記第２無線基地局に対して転送し、前記工程Ｂにおいて、前記第１無線基地局が、選択合成によって前記第１上りリンク信号と前記第２上りリンク信号とを合成してもよい。
【０００８】
本発明の第２の特徴には、第１無線基地局配下の第１セルと第２無線基地局配下の第２セルとの間で無線リンクを設定している移動局における上りリンク信号の送信電力を制御するように構成されている移動通信システムであって、前記第２無線基地局は、前記第２セルにおいて前記移動局から受信した第２上りリンク信号を前記第１無線基地局に対して転送するように構成されており、前記第１無線基地局は、前記第１セルにおいて前記移動局から受信した第１上りリンク信号と前記第２無線基地局から転送された前記第２上りリンク信号とを合成し、合成後の上りリンク信号の受信品質に基づいて、該移動局における上りリンク信号の送信電力を制御するための送信電力制御信号を生成して送信するように構成されており、前記移動局は、受信した前記送信電力制御信号に基づいて、前記上りリンク信号の送信電力を制御するように構成されていることを要旨とする。
【０００９】
本発明の第２の特徴において、前記第２無線基地局は、レイヤ１信号として、前記第２上りリンク信号を前記第２無線基地局に対して転送するように構成されており、前記第１無線基地局は、最大比合成によって前記第１上りリンク信号と前記第２上りリンク信号とを合成するように構成されていてもよい。
【００１０】
本発明の第２の特徴において、前記第２無線基地局は、レイヤ２信号又はレイヤ３信号として、前記第２上りリンク信号を前記第２無線基地局に対して転送するように構成されており、前記第１無線基地局は、選択合成によって前記第１上りリンク信号と前記第２上りリンク信号とを合成するように構成されていてもよい。
【００１１】
本発明の第３の特徴は、第１無線基地局配下の第１セルと第２無線基地局配下の第２セルとの間で無線リンクを設定している移動局における上りリンク信号の送信電力を制御するように構成されている移動通信システムにおいて該第１無線基地局として機能する無線基地局であって、前記第１セルにおいて前記移動局から受信した第１上りリンク信号と、前記第２無線基地局から転送された前記第２セルにおいて該移動局から受信した第２上りリンク信号とを合成するように構成されている合成部と、合成後の上りリンク信号の受信品質に基づいて、前記移動局における上りリンク信号の送信電力を制御するための送信電力制御信号を生成して送信するように構成されている送信部とを具備することを要旨とする。
【００１２】
本発明の第３の特徴において、前記合成部は、前記第２無線基地局からレイヤ１信号として前記第２上りリンク信号を受信した場合には、最大比合成によって前記第１上りリンク信号と該第２上りリンク信号とを合成するように構成されていてもよい。
【００１３】
本発明の第３の特徴において、前記合成部は、前記第２無線基地局からレイヤ２信号又はレイヤ３信号として前記第２上りリンク信号を受信した場合には、選択合成によって前記第１上りリンク信号と該第２上りリンク信号とを合成するように構成されていてもよい。
【００１４】
本発明の第４の特徴は、第１セルを管理する第１無線基地局と、第２セルを管理する第２無線基地局と、第３セルを管理する第３無線基地局と、第４セルを管理する第４無線基地局と、第５セルを管理する第５無線基地局とを具備する移動通信システムであって、前記第１無線基地局及び前記第２無線基地局は、自立分散制御が行われる第１ネットワークに接続されており、前記第３無線基地局及び前記第４無線基地局は、前記第５無線基地局によって集中的に制御される第２ネットワークに接続されており、移動局が、前記第１無線基地局と前記第２無線基地局との間で無線リンクを設定している場合、該第１無線基地局は、前記第１セルにおいて該移動局から受信した第１上りリンク信号の受信品質に基づいて、該移動局における上りリンク信号の送信電力を制御するための送信電力制御信号を生成して送信するように構成されており、該第２無線基地局は、前記第２セルにおいて該移動局から受信した第２上りリンク信号の受信品質に基づいて、該移動局における上りリンク信号の送信電力を制御するための送信電力制御信号を生成して送信するように構成されており、前記移動局が、前記第３無線基地局と前記第４無線基地局との間で無線リンクを設定している場合、該第３無線基地局及び該第４無線基地局は、それぞれ前記第３セル及び前記第４セルにおいて該移動局から受信した第３上りリンク信号及び第４上りリンク信号を前記第５無線基地局に対して転送するように構成されており、該第５無線基地局は、該第３上りリンク信号と該第４上りリンク信号とを合成し、合成後の上りリンク信号の受信品質に基づいて、該移動局における上りリンク信号の送信電力を制御するための送信電力制御信号を生成し、該第３無線基地局又は該第４無線基地局を介して送信するように構成されていることを要旨とする。
【００１５】
本発明の第４の特徴において、前記移動局が、前記第１無線基地局と前記第３無線基地局との間で無線リンクを設定している場合、該第１無線基地局は、前記第１上りリンク信号に基づいて、該移動局における上りリンク信号の送信電力を制御するための送信電力制御信号を生成して送信するように構成されており、該第３無線基地局は、前記第３上りリンク信号を前記第５無線基地局に対して転送するように構成されており、該第５無線基地局は、該第３上りリンク信号の受信品質に基づいて、該移動局における上りリンク信号の送信電力を制御するための送信電力制御信号を生成し、該第３無線基地局を介して送信するように構成されていてもよい。
【発明の効果】
【００１６】
以上説明したように、本発明によれば、自立分散型ネットワーク及び集中制御型ネットワークが混在している環境においてソフトハンドオーバ状態の移動局における上りリンク信号の送信電力を適切に制御することができる送信電力制御方法、移動通信システム及び無線基地局を提供することができる。
【発明を実施するための最良の形態】
【００１７】
（本発明の第１の実施形態に係る移動通信システムの構成）
図１乃至図３を参照して、本発明の第１の実施形態に係る移動通信システムの構成について説明する。
【００１８】
図１に示すように、本実施形態に係る移動通信システムでは、自立分散制御型ネットワーク及び集中制御型ネットワークが混在しており、ＬＴＥ（Ｌｏｎｇ  Ｔｅｒｍ  Ｅｖｏｌｕｔｉｏｎ）方式と同様の無線アクセス技術が適用されている。
【００１９】
自立分散制御型ネットワークには、無線基地局ｅＮＢ＃１乃至ｅＮＢ＃３が接続されており、各無線基地局ｅＮＢ＃１乃至ｅＮＢ＃３が、互いに制御信号をやり取りすることによって、自律的に、配下のセルにおける無線通信を制御するように構成されている。
【００２０】
ここで、各無線基地局ｅＮＢ＃１乃至ｅＮＢ＃３同士は、高速な無線伝送路や有線伝送路で直接接続されていてもよいし、コアネットワークを介して間接的に接続されていてもよい。
【００２１】
一方、集中制御型ネットワークには、無線基地局ｅＮＢ＃１０、ＲＲＥ（Ｒｅｍｏｔｅ  Ｒａｄｉｏ  Ｅｑｕｉｐｍｅｎｔ）＃１乃至ＲＲＥ＃３が接続されており、無線基地局ｅＮＢ＃１０が、各無線基地局ＲＲＥ＃１乃至ＲＲＥ＃３配下のセルにおける無線通信を制御するように構成されている。
【００２２】
ここで、各無線基地局ＲＲＥ＃１乃至ＲＲＥ＃３は、高速な無線伝送路や有線伝送路で直接接続されている。
【００２３】
なお、自立分散制御型ネットワーク及び集中制御型ネットワークのいずれにおいても、同一周波数が複数のセルにおいて繰り返し使用されている。
【００２４】
また、移動局ＵＥは、自立分散制御型ネットワーク及び集中制御型ネットワーク内の１つ又は複数のセルとの間で無線リンクを設定することができるように構成されている。
【００２５】
図２に示すように、自立分散制御型ネットワーク内の各無線基地局ｅＮＢ＃１乃至ｅＮＢ＃３（以下、無線基地局ｅＮＢ）は、移動局信号受信部１１と、転送部１２と、無線基地局信号受信部１３と、合成部１４と、受信品質測定部１５と、送信電力制御部１６と、送信電力制御信号送信部１７とを具備している。
【００２６】
移動局信号受信部１１は、無線基地局ｅＮＢ配下のセルとの間で無線リンクを設定している移動局ＵＥから送信された上りリンク信号（例えば、制御信号やデータ信号等）を受信するように構成されている。
【００２７】
当該無線基地局ｅＮＢ配下のセルが、当該移動局ＵＥのサービングセルではない場合、転送部１２は、かかる上りリンク信号（第２上りリンク信号）を、当該移動局ＵＥのサービングセルを管理する他の無線基地局に対して転送するように構成されている。
【００２８】
無線基地局信号受信部１３は、他の無線基地局から転送された信号（例えば、かかる他の無線基地局配下のセルにおいて受信された当該移動局ＵＥからの上りリンク信号）を受信するように構成されている。
【００２９】
上述の無線基地局ｅＮＢ配下のセルが、上述の移動局ＵＥのサービングセルである場合、合成部１４は、かかる無線基地局ｅＮＢ配下のセルにおいて移動局ＵＥから受信した上りリンク信号（第１上りリンク信号）と、上述の他の無線基地局から転送された当該第２上りリンク信号とを合成するように構成されている。
【００３０】
ここで、合成部１４は、上述の他の無線基地局からレイヤ１信号として当該第２上りリンク信号を受信した場合には、最大比合成（ＭＲＣ：Ｍａｘｉｍａｌ  Ｒａｔｉｏ  Ｃｏｍｂｉｎｉｎｇ）によって当該第１上りリンク信号と当該第２上りリンク信号とを合成するように構成されていてもよい。
【００３１】
さらに、合成部１４は、上述の他の無線基地局からレイヤ２信号又はレイヤ３信号として当該第２上りリンク信号を受信した場合には、選択合成によって当該第１上りリンク信号と当該第２上りリンク信号とを合成するように構成されていてもよい。
【００３２】
受信品質測定部１５は、合成部１４によって合成された後の上りリンク信号の受信品質を測定するように構成されている。かかる受信品質としては、例えば、ＲＳＲＱ（Ｒｅｆｅｒｅｎｃｅ  Ｓｉｇｎａｌ  Ｒｅｃｅｉｖｅｄ  Ｑｕａｌｉｔｙ）や、ＲＳＲＰ（Ｒｅｆｅｒｅｎｃｅ  Ｓｉｇｎａｌ  Ｒｅｃｅｉｖｅｄ  Ｐｏｗｅｒ）や、受信ＳＩＲ（Ｓｉｇｎａｌ  ｔｏ  Ｉｎｔｅｒｆｅｒｒｅｎｃｅ  Ｒａｔｉｏ）等が想定される。
【００３３】
送信電力制御部１６は、受信品質測定部１５によって測定された受信品質に基づいて、移動局ＵＥにおける上りリンク信号の送信電力を制御するための送信電力制御信号を生成するように構成されている。
【００３４】
例えば、送信電力制御部１６は、受信品質測定部１５によって測定された受信品質が目標値に近づくように、当該送信電力制御信号としてのＴＰＣ（Ｔｒａｎｓｍｉｓｓｉｏｎ  Ｐｏｗｅｒ  Ｃｏｎｔｒｏｌ）コマンドを生成するように構成されている。
【００３５】
送信電力制御信号送信部１７は、送信電力制御部１６によって生成された送信電力制御信号を、当該移動局ＵＥに対して送信するように構成されている。
【００３６】
図３に示すように、移動局ＵＥは、送信電力制御信号受信部２１と、送信電力決定部２２と、送信部２３とを具備している。
【００３７】
送信電力制御信号受信部２１は、上述の無線基地局ｅＮＢ、すなわち、当該移動局ＵＥのサービングセルを管理する無線基地局ｅＮＢ、或いは、当該移動局ＵＥが無線リンクを設定している各セルを管理する各無線基地局ｅＮＢから、送信電力制御信号を受信するように構成されている。
【００３８】
送信電力決定部２２は、送信電力制御信号受信部２１によって受信された送信電力制御信号に基づいて、上りリンク信号の送信電力を決定するように構成されている。
【００３９】
送信部２３は、送信電力決定部２２によって決定された送信電力に基づいて、上りリンク信号を送信するように構成されている。
【００４０】
（本発明の第１の実施形態に係る移動通信システムの動作）
図４を参照して、本発明の第１の実施形態に係る移動通信システムの動作について説明する。
【００４１】
図４に示すように、ステップＳ１００１において、無線基地局ｅＮＢ＃１配下のセル＃１と無線基地局ｅＮＢ＃２配下のセル＃２との間で無線リンクを設定している移動局ＵＥが、上りリンク信号としてデータ信号を送信する。ここで、セル＃１が、移動局ＵＥのサービングセルであるものとする。
【００４２】
ステップＳ１００２において、無線基地局ｅＮＢ＃２は、セル＃２において受信した移動局ＵＥからのデータ信号を、無線基地局ｅＮＢ＃１に転送する。
【００４３】
ステップＳ１００３において、無線基地局ｅＮＢ＃１は、セル＃１において移動局ＵＥから受信したデータ信号（第１上りリンク信号）と、無線基地局ｅＮＢ＃２から転送されたデータ信号（第２上りリンク信号）とを合成する。
【００４４】
ステップＳ１００４において、無線基地局ｅＮＢ＃１は、合成後のデータ信号（上りリンク信号）の受信品質に基づいて、移動局ＵＥにおける上りリンク信号の送信電力を制御するための送信電力制御信号を生成する。
【００４５】
ステップＳ１００５において、無線基地局ｅＮＢ＃１は、移動局ＵＥに対して、かかる送信電力制御信号を送信する。
【００４６】
ステップＳ１００６において、移動局ＵＥは、受信した送信電力制御信号に基づいて、上りリンク信号の送信電力を制御する。
【００４７】
（本発明の第１の実施形態に係る移動通信システムの作用・効果）
本実施形態に係る移動通信システムによれば、自立分散制御型ネットワークにおいて、移動局ＵＥのサービングセルを管理する無線基地局ｅＮＢ＃１が、当該移動局ＵＥにおける上りリンク信号の送信電力を制御することによって、無線基地局ｅＮＢ＃１の上位ノード（例えば、無線制御装置ＲＮＣや交換局ＭＭＥ等）が、移動局ＵＥにおける上りリンク信号の送信電力を制御する場合と比べて、高速な制御を実現することができる。
【００４８】
（変更例１）
以下、図５乃至図７を参照して、本発明の変更例１に係る移動通信システムについて、上述の第１の実施形態に係る移動通信システムとの相違点に着目して説明する。
【００４９】
図５に示すように、本変更例１において、集中制御型ネットワークにおける無線基地局ＲＲＥは、移動局信号受信部３１と、移動局信号送信部３２と、送信電力制御信号受信部３３と、送信電力制御信号送信部３４とを具備している。
【００５０】
移動局信号受信部３１は、無線基地局ＲＲＥ配下のセルとの間で無線リンクを設定している移動局ＵＥから送信された上りリンク信号（例えば、制御信号やデータ信号等）を受信するように構成されている。
【００５１】
移動局信号送信部３２は、移動局信号受信部３１によって受信された上りリンク信号を、当該集中制御型ネットワークを集中的に制御する無線基地局ｅＮＢに対して送信するように構成されている。
【００５２】
送信電力制御信号受信部３３は、当該集中制御型ネットワークを集中的に制御する無線基地局ｅＮＢから送信された当該移動局ＵＥに対する送信電力制御信号を受信するように構成されている。
【００５３】
送信電力制御信号送信部３４は、送信電力制御信号受信部３３によって受信された送信電力制御信号を、当該移動局ＵＥに対して送信するように構成されている。
【００５４】
図６に示すように、本変更例１において、集中制御型ネットワークを集中的に制御する無線基地局ｅＮＢは、無線基地局信号受信部４１と、合成部４２と、受信品質測定部４３と、送信電力制御部４４と、送信電力制御信号送信部４５とを具備している。
【００５５】
無線基地局信号受信部４１は、集中制御型ネットワークに接続されている無線基地局ＲＲＥから転送された信号（例えば、各無線基地局ＲＲＥ配下のセルにおいて受信された移動局ＵＥからの上りリンク信号）を受信するように構成されている。
【００５６】
合成部４２は、無線基地局信号受信部４１によって受信された複数の信号を合成するように構成されている。
【００５７】
受信品質測定部４３は、合成部４２によって合成された後の上りリンク信号の受信品質を測定するように構成されている。かかる受信品質としては、例えば、ＲＳＲＱ（Ｒｅｆｅｒｅｎｃｅ  Ｓｉｇｎａｌ  Ｒｅｃｅｉｖｅｄ  Ｑｕａｌｉｔｙ）や、ＲＳＲＰ（Ｒｅｆｅｒｅｎｃｅ  Ｓｉｇｎａｌ  Ｒｅｃｅｉｖｅｄ  Ｐｏｗｅｒ）や、受信ＳＩＲ（Ｓｉｇｎａｌ  ｔｏ  Ｉｎｔｅｒｆｅｒｒｅｎｃｅ  Ｒａｔｉｏ）等が想定される。
【００５８】
送信電力制御部４４は、受信品質測定部４３によって測定された受信品質に基づいて、移動局ＵＥにおける上りリンク信号の送信電力を制御するための送信電力制御信号を生成するように構成されている。
【００５９】
例えば、送信電力制御部４４は、受信品質測定部４３によって測定された受信品質が目標値に近づくように、当該送信電力制御信号としてのＴＰＣコマンドを生成するように構成されている。
【００６０】
送信電力制御信号送信部４５は、送信電力制御部４４によって生成された送信電力制御信号を、当該移動局ＵＥに対して送信するように構成されている。
【００６１】
第１に、図７を参照して、本変更例１に係る移動通信システムの動作例１について説明する。図７の例では、移動局ＵＥは、集中制御型ネットワーク内の無線基地局ＲＲＥ＃１配下のセル＃１１と無線基地局ＲＲＥ＃２配下のセル＃１２との間で無線リンクを設定しているものとする。
【００６２】
図７に示すように、ステップＳ２００１において、移動局ＵＥが、上りリンク信号としてデータ信号を送信する。
【００６３】
ステップＳ２００２において、無線基地局ＲＲＥ＃１は、セル＃１１において受信した移動局ＵＥからのデータ信号を、無線基地局ｅＮＢ＃１０に転送し、ステップＳ２００３において、無線基地局ＲＲＥ＃２は、セル＃１２において受信した移動局ＵＥからのデータ信号を、無線基地局ｅＮＢ＃１０に転送する。
【００６４】
ステップＳ２００４において、無線基地局ｅＮＢ＃１０は、無線基地局ＲＲＥ＃１から転送されたデータ信号（上りリンク信号）と、無線基地局ＲＲＥ＃２から転送されたデータ信号（上りリンク信号）とを合成する。
【００６５】
ステップＳ２００５において、無線基地局ｅＮＢ＃１０は、合成後のデータ信号（上りリンク信号）の受信品質に基づいて、移動局ＵＥにおける上りリンク信号の送信電力を制御するための送信電力制御信号を生成する。
【００６６】
ステップＳ２００６において、無線基地局ｅＮＢ＃１０は、無線基地局ＲＲＥ＃１に対して、かかる送信電力制御信号を送信する。
【００６７】
ステップＳ２００７において、無線基地局ＲＲＥ＃１は、移動局ＵＥに対して、かかる送信電力制御信号を送信し、
ステップＳ２００８において、移動局ＵＥは、受信した送信電力制御信号に基づいて、上りリンク信号の送信電力を制御する。
【００６８】
第２に、図７を参照して、本変更例１に係る移動通信システムの動作について説明する。図７の例では、移動局ＵＥは、集中制御型ネットワーク内の無線基地局ＲＲＥ＃１配下のセル＃１１と無線基地局ＲＲＥ＃２配下のセル＃１２との間で無線リンクを設定しているものとする。
【００６９】
第２に、図８を参照して、本変更例１に係る移動通信システムの動作例２について説明する。図８の例では、移動局ＵＥは、自立分散制御型ネットワーク内の無線基地局ｅＮＢ＃２配下のセル＃２と集中制御型ネットワーク内の無線基地局ＲＲＥ＃１配下のセル＃１１との間で無線リンクを設定しているものとする。
【００７０】
図８に示すように、ステップＳ３００１において、移動局ＵＥが、上りリンク信号としてデータ信号を送信する。
【００７１】
ステップＳ３００２において、無線基地局ＲＲＥ＃１は、セル＃１１において受信した移動局ＵＥからのデータ信号を、無線基地局ｅＮＢ＃１０に転送する。
【００７２】
無線基地局ｅＮＢ＃２は、ステップＳ３００３において、セル＃２において受信した移動局ＵＥからのデータ信号（上りリンク信号）の受信品質に基づいて、移動局ＵＥにおける上りリンク信号の送信電力を制御するための送信電力制御信号を生成し、ステップＳ３００４において、かかる送信電力制御信号を、移動局ＵＥに対して送信する。
【００７３】
一方、無線基地局ｅＮＢ＃１０は、ステップＳ３００５において、無線基地局ＲＲＥ＃１から転送されたデータ信号（上りリンク信号）の受信品質に基づいて、移動局ＵＥにおける上りリンク信号の送信電力を制御するための送信電力制御信号を生成し、ステップＳ３００６において、かかる送信電力制御信号を、無線基地局ＲＲＥ＃１を介して移動局ＵＥに対して送信する。
【００７４】
ステップＳ３００７において、移動局ＵＥは、無線基地局ｅＮＢ＃２から受信した送信電力制御信号及び無線基地局ＲＲＥ＃１から受信した送信電力制御信号に基づいて、上りリンク信号の送信電力を制御する。
【００７５】
例えば、移動局ＵＥは、無線基地局ｅＮＢ＃２から受信した送信電力制御信号及び無線基地局ＲＲＥ＃１から受信した送信電力制御信号の両方が、上りリンク信号の送信電力を上げることを要求している場合にのみ、かかる上りリンク信号の送信電力を上げ、それ以外の場合には、かかる上りリンク信号の送信電力を下げるように動作してもよい。
【００７６】
本実施形態に係る移動通信システムによれば、自立分散制御型ネットワーク及び集中制御型ネットワークが混在している環境において、移動局ＵＥが無線りんを設定しているセルの種類に応じて、当該移動局ＵＥにおける上りリンク信号の送信電力を制御する方法を柔軟に変更することができる。
【００７７】
なお、上述の移動局ＵＥや無線基地局ｅＮＢや無線基地局ＲＲＥの動作は、ハードウェアによって実施されてもよいし、プロセッサによって実行されるソフトウェアモジュールによって実施されてもよいし、両者の組み合わせによって実施されてもよい。
【００７８】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００７９】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、移動局ＵＥ及び無線基地局ｅＮＢや無線基地局ＲＲＥ内に設けられていてもよい。また、かかる記憶媒体及びプロセッサは、ディスクリートコンポーネントとして移動局ＵＥ及び無線基地局ｅＮＢや無線基地局ＲＲＥ内に設けられていてもよい。
【００８０】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【図面の簡単な説明】
【００８１】
【図１】本発明の第１の実施形態に係る移動通信システムの全体構成図である。
【図２】本発明の第１の実施形態に係る無線基地局ｅＮＢの機能ブロック図である。
【図３】本発明の第１の実施形態に係る移動局ＵＥの機能ブロック図である。
【図４】本発明の第１の実施形態に係る移動通信システムの動作を示すシーケンス図である。
【図５】本発明の変更例１に係る無線基地局ＲＲＥの機能ブロック図である。
【図６】本発明の変更例１に係る無線基地局ｅＮＢの機能ブロック図である。
【図７】本発明の変更例１に係る移動通信システムの動作を示すシーケンス図である。
【図８】本発明の変更例１に係る移動通信システムの動作を示すシーケンス図である。
【符号の説明】
【００８２】
ｅＮＢ、ＲＲＥ…無線基地局
１１、３１…移動局信号受信部
１２…転送部
１３、４１…無線基地局信号受信部
１４、４２…合成部
１５、４３…受信品質測定部
１６、４４…送信電力制御部
１７、３４、４５…送信電力制御信号送信部
３２…移動局信号送信部
ＵＥ…移動局
２１、３３…送信電力制御信号受信部
２２…送信電力決定部
２３…送信部
【図１】
2010074740.tif 000003
【図２】
2010074740.tif 000004
【図３】
2010074740.tif 000005
【図４】
2010074740.tif 000006
【図５】
2010074740.tif 000007
【図６】
2010074740.tif 000008
【図７】
2010074740.tif 000009
【図８】
2010074740.tif 000010